(57)【要約】  【課題】  ベース部材へのコリメートレンズの取付け作業を効率良く行える光ピックアップを提供する。  【解決手段】  ベース部材１は、半導体レーザから出射されたレーザ光を内側から外側へ通過させる貫通穴２を有する。貫通穴２の外側の端部となるベース部材１の外面１ａには、貫通穴２の周囲に、周方向で互いに等間隔をあけた３つの弧状凸部４が形成されている。各弧状凸部４の内周面４ａは、外側に向けて次第に口細り状になっていて、その先端となる外側の端は、貫通穴２の径よりも大きくてコリメートレンズ１０の径より若干大きい径となっている。各弧状凸部４内にコリメートレンズ１０が受け入れられ、そのコリメートレンズ１０は、その内側に向く端面の周縁部１１が、弧状凸部４同士の間に存するベース部材１の外面１ａ内の弧状領域１ａ’によって支持されるとともに、その外周面１２が、各弧状凸部４の内周面４ａにおける外側の端によって支持される。【選択図】      図２
2006351070.tif 000002
【特許請求の範囲】
【請求項１】
半導体レーザと、
この半導体レーザから出射されたレーザ光を平行光束に集光するコリメートレンズと、
前記半導体レーザからのレーザ光を内側から外側へ通過させる貫通穴を有し、前記コリ
メートレンズが前記貫通穴の外側の端部に外側から受け入れられて紫外線硬化性の接着剤
で固着されるベース部材と、を含む光ピックアップであって、
前記ベース部材が硬質樹脂を材質とする成型品であり、
前記ベース部材における前記貫通穴の外側の端部には、受け入れた前記コリメートレン
ズの外周面に対向してその外周面を支持する第１の面と、受け入れた前記コリメートレン
ズの内側に向く端面の周縁部に対向してその周縁部を支持する第２の面と、が形成されて
いる光ピックアップにおいて、
前記第１の面は、前記コリメートレンズの周方向で互いに等間隔をあけた３つの面より
成り、外側に向けて次第に口細り状になっていて、
前記第１の面と前記第２の面とが、前記コリメートレンズの周方向で交互に配置されて
いることを特徴とする光ピックアップ。
【請求項２】
半導体レーザと、
この半導体レーザから出射されたレーザ光を平行光束に集光するコリメートレンズと、
前記半導体レーザからのレーザ光を内側から外側へ通過させる貫通穴を有し、前記コリ
メートレンズが前記貫通穴の外側の端部に外側から受け入れられて接着剤で固着されるベ
ース部材と、を含む光ピックアップにおいて、
前記ベース部材における前記貫通穴の外側の端部には、受け入れた前記コリメートレン
ズの外周面に対向してその外周面を支持する第１の面と、受け入れた前記コリメートレン
ズの内側に向く端面の周縁部に対向してその周縁部を支持する第２の面と、が形成されて
おり、
前記第１の面は、前記コリメートレンズの周方向で互いに間隔をあけた少なくとも３つ
の面より成り、外側に向けて次第に口細り状になっていることを特徴とする光ピックアッ
プ。
【請求項３】
前記第１の面を構成する各面が、前記コリメートレンズの周方向で互いに等間隔をあけ
て形成されていることを特徴とする請求項２に記載の光ピックアップ。
【請求項４】
前記第１の面と前記第２の面とが、前記コリメートレンズの周方向で交互に配置されて
いることを特徴とする請求項２又は３に記載の光ピックアップ。
【請求項５】
前記ベース部材が成型品であることを特徴とする請求項４に記載の光ピックアップ。
【請求項６】
前記ベース部材の材質が硬質樹脂であることを特徴とする請求項５に記載の光ピックア
ップ。
【請求項７】
前記接着剤が紫外線硬化性の接着剤であることを特徴とする請求項２〜６のいずれかに
記載の光ピックアップ。
【発明の詳細な説明】
【技術分野】
【０００１】
本発明は、情報記録媒体であるＣＤやＤＶＤ等の光ディスクに対して情報の再生や記録
を行うための光ディスク装置に搭載される光ピックアップに関する。
【背景技術】
【０００２】
一般に、光ディスク装置では、回転する光ディスクの径方向に往復移動する光ピックア
ップを備えている。この光ピックアップは、大きくは、レーザ光を出射する光源としての
半導体レーザ、半導体レーザからのレーザ光に基づく光ディスクからの反射光を最終的に
受光して検出し電気信号に変換するフォトダイオード等の光検出器、半導体レーザからの
レーザ光を光ディスクの反射を経て光検出器まで導くコリメートレンズやミラーや対物レ
ンズ等の光学系、これらの各部品が取り付けられて駆動されるベース部材、より構成され
る。ここでのコリメートレンズは、半導体レーザから出射されたレーザ光を集光して平行
光束にする機能を果たすものである。
【０００３】
ここで、ベース部材へのコリメートレンズの取付け構造について、その従来技術の一例
（例えば、特許文献１参照）を図３及び図４を参照しながら説明する。図３は従来の光ピ
ックアップの要部を示す平面図であって、図３（ａ）はコリメートレンズを取り付ける前
の状態を示し、図３（ｂ）はコリメートレンズを取り付けた後の状態を示している。図４
はその要部の断面図であって、図４（ａ）はコリメートレンズ取付け前の状態である図３
（ａ）のＣ−Ｃ断面を示し、図４（ｂ）はコリメートレンズ取付け後の状態である図３（
ｂ）のＤ−Ｄ断面（図３（ａ）のＣ−Ｃ断面に相当）を示している。
【０００４】
ベース部材１０１は、硬質樹脂のエンジニアリングプラスチック、例えばポリフェニレ
ンサルファイド（ＰＰＳ）を材質とする成型品であって、半導体レーザ（不図示）から出
射されたレーザ光を内側から外側へ（図３では紙面の裏側から手前側に向けて、図４では
下側から上側へ向けて）通過させる貫通穴１０２を有する。この貫通穴１０２の外側（図
３では紙面の手前側、図４では上側）の端部となるベース部材１０１の外面１０１ａには
、図３（ａ）及び図４（ａ）に示すように、コリメートレンズ１１０の径より若干大きい
程度の径で、一律に浅く凹んだ環状段差部１０３が形成されている。この環状段差部１０
３の周囲には、周方向で互いに等間隔をあけた３つの弧状凸部１０４が形成されている。
各弧状凸部１０４の内周面１０４ａは、環状段差部１０３の外周面１０３ａの径と同じ径
で、一律にその環状段差部１０３の外周面１０３ａと連続している。
【０００５】
このようなベース部材１０１における貫通穴１０２の外側の端部に、外側からコリメー
トレンズ１１０が挿入されて受け入れられる。これにより、コリメートレンズ１１０は、
図３（ｂ）及び図４（ｂ）に示すように、コリメートレンズ１１０の内側に向く端面の周
縁部１１１が、この周縁部１１１と対向する環状段差部１０３の端面１０３ｂによって支
持されるとともに、コリメートレンズ１１０の外周面１１２が、この外周面１１２と対向
する環状段差部１０３の外周面１０３ａ及び各弧状凸部１０４の内周面１０４ａによって
支持された格好になる。つまり、コリメートレンズ１１０は、その光軸方向の位置が環状
段差部１０３の端面１０３ｂによって規定され、その光軸方向と直交する位置が環状段差
部１０３の外周面１０３ａ及び各弧状凸部１０４の内周面１０４ａによって規定される。
【０００６】
そして、受け入れたコリメートレンズ１１０を環状段差部１０３及び各弧状凸部１０４
内で周方向に回転させ、コリメートレンズ１１０の周縁の一部に形成された基準の切欠き
１１３を規定位置に一致させる。この回転調整は、ニードルを持つ工具のニードルの先端
をコリメートレンズ１１０の外周面１１２に引っ掛けて、周方向に引き込むことで行われ
る。
【０００７】
その後、コリメートレンズ１１０の周縁からベース部材１０１上にかけて紫外線硬化性
の接着剤を塗布し、その接着剤が紫外線照射を受けて硬化することによって、コリメート
レンズ１１０がベース部材１０１に固着される。
【特許文献１】特開２００４−３４２７１４号公報
【発明の開示】
【発明が解決しようとする課題】
【０００８】
しかし、上記した従来の光ピックアップでは、コリメートレンズ１１０をベース部材１
０１における貫通穴１０２の外側の端部に取り付ける際、その端部に受け入れたコリメー
トレンズ１１０が周方向に円滑には回転し難い状況であった。回転に際し、コリメートレ
ンズ１１０の外周面１１２が、これを全周にわたって取り囲む環状段差部１０３の外周面
１０３ａ、更には各弧状凸部１０４の内周面１０４ａと広範に接触するため、その摩擦抵
抗により、コリメートレンズ１１０の回転が著しく妨げられるからである。そのため、コ
リメートレンズ１１０の回転調整は、ニードル工具での強力な引込みによる回転力を必要
とする時間のかかる作業であった。
【０００９】
これに加え、コリメートレンズ１１０の回転調整の際に、ニードル工具での強力な引込
みに追従してコリメートレンズ１１０が不用意に浮き上がってしまい、コリメートレンズ
１１０の光軸方向での位置がずれてしまうことが多々あった。従って、コリメートレンズ
１１０の回転調整の作業には、高い慎重性も要求されていた。
【００１０】
そこで本発明は、上記の問題に鑑みてなされたものであり、ベース部材へのコリメート
レンズの取付け作業を効率良く行える光ピックアップを提供することを目的とするもので
ある。
【課題を解決するための手段】
【００１１】
上記目的を達成するため、本発明による光ピックアップは、半導体レーザと、この半導
体レーザから出射されたレーザ光を平行光束に集光するコリメートレンズと、前記半導体
レーザからのレーザ光を内側から外側へ通過させる貫通穴を有し、前記コリメートレンズ
が前記貫通穴の外側の端部に外側から受け入れられて紫外線硬化性の接着剤で固着される
ベース部材と、を含む光ピックアップであって、前記ベース部材が硬質樹脂を材質とする
成型品であり、前記ベース部材における前記貫通穴の外側の端部には、受け入れた前記コ
リメートレンズの外周面に対向してその外周面を支持する第１の面と、受け入れた前記コ
リメートレンズの内側に向く端面の周縁部に対向してその周縁部を支持する第２の面と、
が形成されている光ピックアップにおいて、次の点を特徴とする。前記第１の面は、前記
コリメートレンズの周方向で互いに等間隔をあけた３つの面より成り、外側に向けて次第
に口細り状になっていて、前記第１の面と前記第２の面とが、前記コリメートレンズの周
方向で交互に配置されている。
【００１２】
このような構成にすると、ベース部材における貫通穴の外側の端部に受け入れたコリメ
ートレンズを周方向に回転調整する際、コリメートレンズの外周面と接触する部分は、第
１の面における外側の端であって、その接触領域は周方向、光軸方向共に小さくて、摩擦
抵抗も小さくなる。そのため、回転力を強力にせずとも、コリメートレンズの周方向への
回転を円滑に行うことができる。しかも、強力な回転力が与えられない円滑な回転では、
コリメートレンズが不用意に浮き上がってしまうこともない。
【００１３】
また、上記目的を達成するための本発明による光ピックアップは、半導体レーザと、こ
の半導体レーザから出射されたレーザ光を平行光束に集光するコリメートレンズと、前記
半導体レーザからのレーザ光を内側から外側へ通過させる貫通穴を有し、前記コリメート
レンズが前記貫通穴の外側の端部に外側から受け入れられて接着剤で固着されるベース部
材と、を含む光ピックアップにおいて、前記ベース部材における前記貫通穴の外側の端部
には、受け入れた前記コリメートレンズの外周面に対向してその外周面を支持する第１の
面と、受け入れた前記コリメートレンズの内側に向く端面の周縁部に対向してその周縁部
を支持する第２の面と、が形成されている。そして、前記第１の面は、前記コリメートレ
ンズの周方向で互いに間隔をあけた少なくとも３つの面より成り、外側に向けて次第に口
細り状になっている。
【００１４】
このような構成にすると、ベース部材における貫通穴の外側の端部に受け入れたコリメ
ートレンズを周方向に回転調整する際、コリメートレンズの外周面と接触する部分は、第
１の面における外側の端であって、その接触領域は周方向、光軸方向共に小さくて、摩擦
抵抗も小さくなる。そのため、回転力を強力にせずとも、コリメートレンズの周方向への
回転を円滑に行うことができる。しかも、強力な回転力が与えられない円滑な回転では、
コリメートレンズが不用意に浮き上がってしまうこともない。
【００１５】
ここで、コリメートレンズについて、光軸方向と直交する位置での位置精度の安定化を
図る観点から、前記第１の面を構成する各面が、前記コリメートレンズの周方向で互いに
等間隔をあけて形成されていることが好ましい。
【００１６】
また、前記第１の面と前記第２の面とが、前記コリメートレンズの周方向で交互に配置
されていることが好ましい。この場合、前記ベース部材が成型品であるとよい。更に、前
記ベース部材の材質が硬質樹脂であるとよい。
【００１７】
また、実用的には、前記接着剤が紫外線硬化性の接着剤であることが好ましい。
【発明の効果】
【００１８】
本発明の光ピックアップによれば、ベース部材における貫通穴の外側の端部に受け入れ
たコリメートレンズを、浮き上がりを抑えつつ周方向に円滑に回転させることができ、そ
の結果として、ベース部材へのコリメートレンズの取付け作業を効率良く行える。
【発明を実施するための最良の形態】
【００１９】
以下に、本発明の光ピックアップの一実施形態について、図面を参照しながら詳述する
。図１は本発明の一実施形態である光ピックアップの要部を示す平面図であって、図１（
ａ）はコリメートレンズを取り付ける前の状態を示し、図１（ｂ）はコリメートレンズを
取り付けた後の状態を示している。図２はその要部の断面図であって、図２（ａ）はコリ
メートレンズ取付け前の状態である図１（ａ）のＡ−Ａ断面を示し、図２（ｂ）はコリメ
ートレンズ取付け後の状態である図１（ｂ）のＢ−Ｂ断面（図１（ａ）のＡ−Ａ断面に相
当）を示している。
【００２０】
本実施形態の光ピックアップは、その構成要素であるベース部材へのコリメートレンズ
の取付け構造に大きな特徴があり、この点について特筆する。
【００２１】
図１及び図２に示すように、ベース部材１は、硬質樹脂のエンジニアリングプラスチッ
ク、例えばポリフェニレンサルファイド（ＰＰＳ）を材質とする成型品である。なお、そ
の材質は、亜鉛等の金属であっても構わない。ベース部材１は、半導体レーザ（不図示）
から出射されたレーザ光を内側から外側へ（図１では紙面の裏側から手前側に向けて、図
２では下側から上側へ向けて）通過させる貫通穴２を有する。
【００２２】
この貫通穴２の外側（図１では紙面の手前側、図２では上側）の端部となるベース部材
１の外面１ａには、図１（ａ）及び図２（ａ）に示すように、貫通穴２の周囲に、周方向
で互いに等間隔をあけて互いに同一形状の３つの弧状凸部４が形成されている。各弧状凸
部４の内周面４ａは、外側に向けて次第に口細り状、例えばテーパ状になっていて、その
先端となる外側の端は、貫通穴２の径よりも大きくてコリメートレンズ１０の径より若干
大きい程度の径となっている。
【００２３】
ここで、本実施形態の貫通穴２の周面には、各弧状凸部４の形成された位置に対応して
内側から外側かけて延在しつつ各弧状凸部４の内周面４ａに連続する溝２ａが形成されて
いる。これは、ベース部材１の成型時に、各弧状凸部４の内周面４ａを形成した金型を溝
２ａに沿って（図１では紙面の手前側から裏側に向けて、図２では上側から下側へ向けて
）引き抜くことができるようにするためのものである。
【００２４】
なお、本実施形態での各弧状凸部４は、従来の各弧状凸部１０４と比較して、その周方
向での内周面４ａの長さがはるかに短くなっている。つまり、周方向での各弧状凸部４の
互いの間隔がはるかに広くなっている。ここでの各弧状凸部４の周方向での内周面４ａの
長さは短いほどよい。後述するコリメートレンズ１０の周方向への回転調整の際、コリメ
ートレンズ１０との周方向での接触領域を小さくでき、ひいては摩擦抵抗を小さくできる
からである。
【００２５】
このようなベース部材１における貫通穴２の外側の端部に、外側からコリメートレンズ
１０が挿入されて受け入れられる。これにより、コリメートレンズ１０は、図１（ｂ）及
び図２（ｂ）に示すように、コリメートレンズ１０の内側に向く端面の周縁部１１が、弧
状凸部４同士の間でその周縁部１１と対向するベース部材１の外面１ａ内の弧状領域１ａ
’によって支持されるとともに、コリメートレンズ１０の外周面１２が、この外周面１２
と対向する各弧状凸部４の内周面４ａ、特にその先端となる外側の端によって支持された
格好になる。つまり、コリメートレンズ１０は、その光軸方向の位置がベース部材１の外
面１ａ内の弧状領域１ａ’によって規定され、その光軸方向と直交する位置が各弧状凸部
４の内周面４ａにおける外側の端によって規定される。
【００２６】
そして、受け入れたコリメートレンズ１０を各弧状凸部４内で周方向に回転させ、コリ
メートレンズ１０の周縁の一部に形成された基準の切欠き１３を規定位置に一致させる。
この回転調整は、ニードル工具のニードルの先端をコリメートレンズ１０の外周面１２に
引っ掛けて、周方向に引き込むことで行われる。
【００２７】
その回転調整の際、コリメートレンズ１０の外周面１２と接触する部分は、各弧状凸部
４の内周面４ａにおける外側の端であって、その接触領域は周方向、光軸方向共に小さく
て、摩擦抵抗も小さくなるため、ニードル工具での引込みによる回転力を強力にせずとも
、コリメートレンズ１０の周方向への回転を円滑に行うことができる。しかも、ニードル
工具での強力な引込みによる回転力が与えられない円滑な回転では、コリメートレンズ１
０が不用意に浮き上がってしまうこともない。なお、コリメートレンズ１０は、その外周
面１２が各弧状凸部４の内周面４ａにおける外側の端と接触することにより、浮き上がり
がより抑えられる。
【００２８】
また、本実施形態では、コリメートレンズ１０が、周方向で互いに等間隔をあけ互いに
同一形状の３つの弧状凸部４によって支持されているため、光軸方向と直交する位置での
位置精度が良好である。
【００２９】
その後、コリメートレンズ１０の周縁からベース部材１上にかけて紫外線硬化性の接着
剤を塗布し、その接着剤が紫外線照射を受けて硬化することによって、コリメートレンズ
１０がベース部材１に固着される。
【００３０】
このような光ピックアップでは、ベース部材１における貫通穴２の外側の端部に受け入
れたコリメートレンズ１０を、浮き上がりを抑えつつ周方向に円滑に回転させることがで
き、その結果として、ベース部材１へのコリメートレンズ１０の取付け作業を効率良く行
える。
【００３１】
その他本発明は上記の実施形態に限定されず、本発明の趣旨を逸脱しない範囲で、種々
の変更が可能である。例えば、ベース部材１の外面１ａ上で貫通穴２の周囲に形成する弧
状凸部４の個数は、３つ以上であっても構わない。
【産業上の利用可能性】
【００３２】
本発明は、光ディスクに対して情報の再生や記録を行うための光ディスク装置に搭載さ
れる光ピックアップに有用である。
【図面の簡単な説明】
【００３３】
【図１】本発明の一実施形態である光ピックアップの要部を示す平面図である。
【図２】図１に示す要部の断面図である。
【図３】従来の光ピックアップの要部を示す平面図である。
【図４】図３に示す要部の断面図である。
【符号の説明】
【００３４】
１    ベース部材
１ａ    ベース部材の外面
１ａ’    ベース部材の外面内の弧状領域（第２の面）
２    貫通穴
２ａ    貫通穴の溝
４    弧状凸部
４ａ    弧状凸部の内周面（第１の面）
１０    コリメートレンズ
１１    コリメートレンズの内側端面の周縁部
１２    コリメートレンズの外周面
【図１】
2006351070.tif 000003
【図２】
2006351070.tif 000004
【図３】
2006351070.tif 000005
【図４】
2006351070.tif 000006